(57)【要約】      （修正有）【課題】ホログラム素子を用いた光ピックアップ装置において、対象外の情報記録層等からの反射光の影響を受けにくい光ピックアップ装置を提供する。【解決手段】光ピックアップ装置は、その集積ユニット１０１の偏光ホログラム１５２の中心部に入射する光を遮る遮光部１５３を備えている。偏光ホログラムは６つの領域に分割されており、各々の領域からの回折光を演算することによりプッシュプル信号、レンズシフト信号、フォーカス誤差信号を検出する。【選択図】図１
2010009701.tif 000002
【特許請求の範囲】
【請求項１】
光源と、
上記光源からの光束を、光情報記録媒体が有する複数の記録層のうちの１つである対象記録層に集光させる対物レンズと、
上記対象記録層に反射した反射光を受光する光検出器と、
上記対物レンズと上記光検出器との間に配置され、上記反射光を上記光検出器へ導くホログラム素子とを備える光ピックアップ装置であって、
上記ホログラム素子の中心部へ入射する光を遮る遮光部をさらに備えることを特徴とする光ピックアップ装置。
【請求項２】
上記遮光部は円形であり、その直径Ｄ１は、上記ホログラム素子に投射された光ビームの直径をＤ２とすると、Ｄ２／６＜Ｄ１＜Ｄ２／４を満たすように形成されていることを特徴とする請求項１に記載の光ピックアップ装置。
【請求項３】
上記遮光部は、上記中心部の光の透過率を低下させることにより形成されていることを特徴とする請求項１または２に記載の光ピックアップ装置。
【請求項４】
上記遮光部の反射率は、０．１５より大きく０．３より小さいことを特徴とする請求項１〜３のいずれか１項に記載の光ピックアップ装置。
【請求項５】
上記遮光部の光の透過率は、０より大きく０．２より小さいことを特徴とする請求項１〜４のいずれか１項に記載の光ピックアップ装置。
【請求項６】
上記ホログラム素子を透過する＋１次回折光、０次回折光および−１次回折光の効率は、１：８：１から１：１２：１の範囲にあることを特徴とする請求項１〜５のいずれか１項に記載の光ピックアップ装置。
【請求項７】
上記ホログラム素子は、複数種類の信号を生成するための複数の領域に分割されていることを特徴とする請求項１〜６のいずれか１項に記載の光ピックアップ装置。
【請求項８】
請求項１〜７のいずれか１項に記載の光ピックアップ装置と、
光情報記録媒体を回転させる回転手段と、
上記光情報記録媒体に記録された情報を再生する再生制御手段とを備えることを特徴とする光ディスク装置。
【発明の詳細な説明】
【技術分野】
【０００１】
本発明は、光ディスク等の情報記録媒体に光学的に情報を記録、または再生する光ディスク装置に用いられる光ピックアップ装置、および当該光ピックアップ装置を搭載した光ディスク装置に関する。
【背景技術】
【０００２】
光ピックアップ装置のトラッキングサーボの手法としては、プッシュプル法（ＰＰ法）が挙げられる。ＰＰ法では、複数の受光部の光量差を検出することで、ディトラック量を検出する手法であり、光量差が無い場合をジャストトラックと判断する。
【０００３】
ＰＰ法を用いた光ピックアップ装置を、小型化、薄型化および高信頼性化するためにホログラムを用いたものが提案されている。
【０００４】
このようなホログラムを用いた光ピックアップ装置の基本的な構造が、特許文献１に記載されている。同公報に記載されている光ピックアップ装置は、ＤＶＤ用のものであり、ホログラムがディスク半径方向に２分割されており、かつその一方はさらにトラック方向に２分割されている。そして、この光ピックアップ装置は、ディスクからの反射ビームの半分でフォーカス誤差信号を、もう半分でトラック誤差信号を、ビーム全面で情報信号を検出する。
【０００５】
この光ピックアップ装置において、トラック誤差信号には、トラックに対する位置信号、いわゆるプッシュプル信号（ＰＰ信号）が含まれている。このＰＰ信号は、ディスク半径方向に半分に分割されたビームをさらにトラック方向に２分割して得られた光量を比較することで検出される。
【０００６】
上記光ピックアップ装置では、このような構成のホログラムが、光集積化ユニットに配され、この光集積化ユニットから出射されたレーザ光が、対物レンズによって光ディスク上に集光される。
【０００７】
図１０、１１は、ホログラムを用いた従来の光ピックアップ装置４００の一例を示す図である。図１０は光ピックアップ装置４００の構成を示す概略図であり、図１１は光ピックアップ装置４００におけるホログラム素子５２、および光検出器３０の受光部３１上でのビーム形状を表す概略図である。図１０に示すように、光ピックアップ装置４００において、集積化ユニット１は、半導体レーザチップ２と、光検出器３０と、ホログラム素子５２とを含む。半導体レーザチップ２からの出射光はホログラム素子５２により回折され、その内の０次回折光がコリメートレンズ８および対物レンズ１０を介して光ディスク１２上に集光される。その戻り光は、対物レンズ１０およびコリメートレンズ８を介して、ホログラム素子５２によって光検出器３０の受光部３１に導かれる。
【０００８】
また、図１１に示すように、ホログラム素子５２は、光ディスク１２の半径方向に対応するｘ方向に延びる分割線と、この分割線の中心から、光ディスク１２の半径方向と直交するｙ方向、つまり光ディスク１２のトラック方向に対応する方向に延びる分割線とにより、３つの分割領域５２ａ，５２ｂ，５２ｃに分割されている。
【０００９】
また、光検出器３０の受光部３１は、光ディスク１２のトラック方向に対応するｙ方向に配列された４つの矩形状の受光素子３１ａ，３１ｂ，３１ｃ，３１ｄを有している。中央の受光素子３１ｃ，３１ｄは、上記ｘ方向に延びる分割線により分割されている。受光素子３１ｃ，３１ｄのｙ方向における両側には、受光素子３１ａ，３１ｂが設けられている。また、各受光素子３１ａ，３１ｂ，３１ｃ，３１ｄは、上記ｙ方向に延びている。
【００１０】
そして、ホログラム素子５２の分割領域５２ｃで回折された光が受光素子３１ｃまたは３１ｄ上に像を形成し、分割領域５１ａ、５１ｂで回折された光がそれぞれ受光素子３１ａ、３１ｂ上に像を形成する。ここで、受光素子３１ａ，３１ｂ，３１ｃ，３１ｄの出力信号をそれぞれＳａ，Ｓｂ，Ｓｃ，Ｓｄとすると、フォーカス誤差信号ＦＥＳは（Ｓｃ−Ｓｄ）の演算で、トラッキング誤差信号ＲＥＳは（Ｓａ−Ｓｂ）の演算で求められる。
【００１１】
しかしながら、ＰＰ法を採用した場合、対物レンズシフトすると受光部での戻り光位置が変化する為、ディトラックしていなくても対物レンズがシフトすると、トラック誤差信号にオフセットが発生する。
【００１２】
これに対して、ディファレンシャルプッシュプル法（ＤＰＰ法）では、ＰＰ法を用いた場合に発生するオフセットを抑制することが可能である。このＤＰＰ法では、レーザ光を出射する発光部からのビームを、メインビームと前後サブビームとの３ビームに分割し、メインビームとその前後のサブビームとのそれぞれにおいて、トラックを横切る方向に分割した差信号からトラック誤差を検出する。このため、ＰＰ法の場合に発生するオフセットを抑圧可能であり、ＤＰＰ法は、トラッキングサーボの手法として用いられている。
【００１３】
しかしながら、ＤＰＰ法では、１個の光源から３個のビームを生成しているので、記録に関与するメインビームの光量が低下し、その結果、記録スピードが遅くなり、記録の高速化の妨げになるという問題がある。
【００１４】
そこで、１ビームのＰＰ法でありながら、対物レンズシフト信号を用いることによりＰＰ法で発生するオフセット信号を補正する様々な方法が提案されている。例えば、特許文献２では、対物レンズからの戻り光を６分割光検出器で検出し、６分割光検出器での受光量に応じた出力信号を演算することで、対物レンズがシフトしてもトラックサーボ信号のオフセットが少ない光学ヘッドが提案されている。
【特許文献１】特開平９−１６１２８２  （公開日：平成９年６月２０日）
【特許文献２】特開平８−３０６０５７  （公開日：平成８年１１月２２日）
【発明の開示】
【発明が解決しようとする課題】
【００１５】
近年、ＢＤ（Ｂｌｕ−ｒａｙ  Ｄｉｓｃ）と呼ばれる光透過層の厚みが０．１ｍｍである光情報記録媒体に対して光学的に情報を記録、または再生する光ディスク装置が知られている。情報記録面が１層の場合には光透過層の厚みは０．１ｍｍとなるが、情報記録面が２層の場合、対物レンズに遠い側の情報記録層を第１の情報記録層（Ｌ０層）、対物レンズから近い情報記録層を第２の情報記録層（Ｌ１層）とすると、第１の情報記録層（Ｌ０層）と第２の情報記録層（Ｌ１層）との情報記録層間隔は０．０２５ｍｍであるので、第１の情報記録層（Ｌ０層）にとっては光透過層の厚みが０．１００ｍｍとなり、第２の情報記録層（Ｌ１層）にとっては光透過層の厚みが０．０７５ｍｍとなる。
【００１６】
その為、第１の情報記録層（Ｌ０層）を記録再生する場合、前述のとおり、情報記録層間隔は０．０２５ｍｍであるので、第２の情報記録層（Ｌ１層）からの反射光が光検出器に迷光として入射する。また、逆も同様である。
【００１７】
特に、±１次回折光に対する０次回折光の効率が高いホログラム素子を用いた光ピックアップ装置において、±１次回折光は、０次回折光に比べ非常に光量が少ない為、±１次回折光を受光する受光素子に他の情報記録層からの反射光が入射すると、信号光に対する迷光の比率が高くなる。その為、±１次回折光を用いてフォーカスサーボやトラックサーボを形成している場合には特に注意が必要となる。
【００１８】
本発明は、上記の問題点を解決するためになされたもので、その目的は、ホログラム素子を用いた光ピックアップ装置において、記録または再生の対象となる、光ディスクの情報記録層以外の情報記録層または光ディスクの表面からの反射光の影響を受けにくい光ピックアップ装置および当該光ピックアップ装置を搭載した光ディスク装置を提供することである。
【課題を解決するための手段】
【００１９】
上記の課題を解決するために、本発明に係る光ピックアップ装置は、光源と、上記光源からの光束を、光情報記録媒体が有する複数の記録層のうちの１つである対象記録層に集光させる対物レンズと、上記対象記録層に反射した反射光を受光する光検出器と、上記対物レンズと上記光検出器との間に配置され、上記反射光を上記光検出器へ導くホログラム素子とを備える光ピックアップ装置であって、上記ホログラム素子の中心部へ入射する光を遮る遮光部をさらに備えることを特徴としている。
【００２０】
上記の構成によれば、光源から出射された光束は、対物レンズによって光情報記録媒体が有する対象記録層に集光される。対象記録層に反射した反射光は、ホログラム素子によって光検出器へ導かれる。このとき、対象記録層とは別の層からの反射光はホログラム素子の中心部近傍で集光する。
【００２１】
そこで、ホログラム素子の中心部へ入射する光を遮る遮光部を設けることによって、対象記録層とは別の層からの迷光の影響を低減することができる。その結果、Ｓ／Ｎ比の高い光ピックアップ装置を実現できる。
【００２２】
また、上記遮光部は円形であり、その直径Ｄ１は、上記ホログラム素子に投射された光ビームの直径をＤ２とすると、Ｄ２／６＜Ｄ１＜Ｄ２／４を満たすように形成されていることが好ましい。
【００２３】
上記の構成によれば、遮光部の直径が光ビームの直径の１／６より大きいため、ホログラム素子の中心部へ入射する光を効果的に遮断することができる。また、遮光部の直径が光ビームの直径の１／４より小さいため、プッシュプル信号等の信号の生成を妨げる可能性を低減することができる。
【００２４】
また、上記遮光部は、上記中心部の光の透過率を低下させることにより形成されていることが好ましい。
【００２５】
上記の構成によれば、遮光部は、ホログラム素子の中心部に、ホログラム素子の一部として形成されている。それゆえ、遮光部をホログラム素子とは別の部材として形成する場合よりもより確実に光を遮断することができる。
【００２６】
また、上記遮光部の反射率は、０．１５より大きく０．３より小さいことが好ましい。
【００２７】
遮光部での反射光が不要な迷光となる可能性がある。遮光部の反射率を上述の範囲に制限することにより、遮光部において不要な迷光が発生する可能性を低減できる。
【００２８】
また、上記遮光部の光の透過率は、０より大きく０．２より小さいことが好ましい。
【００２９】
上記の構成により、ホログラム素子の中心部へ入射する光を効果的に遮断することができる。
【００３０】
また、上記ホログラム素子を透過する＋１次回折光、０次回折光および−１次回折光の効率は、１：８：１から１：１２：１の範囲にあることが好ましい。
【００３１】
上記の構成により、ホログラム素子での±１次回折光によりフォーカスサーボ信号とトラックサーボ信号とを得るとともに、再生信号に対して十分なＳ／Ｎ比を確保することができる。
【００３２】
また、上記ホログラム素子は、複数種類の信号を生成するための複数の領域に分割されていることが好ましい。
【００３３】
上記の構成により、ホログラム素子から複数種類の信号、例えば、プッシュプル信号、フォーカス誤差信号、レンズシフト信号などを生成するための光束を発生させることができる。
【００３４】
本発明の光ディスク装置は、上述の光ピックアップ装置と、光情報記録媒体を回転させる回転手段と、上記光情報記録媒体に記録された情報を再生する再生制御手段とを備えることを特徴としている。
【００３５】
上記の構成により、対象記録層とは別の層からの迷光の影響を低減することができる。その結果、Ｓ／Ｎ比の高い光ピックアップ装置を備えた光ディスク装置を実現できる。
【発明の効果】
【００３６】
以上のように、本発明に係る光ピックアップ装置は、ホログラム素子の中心部へ入射する光を遮る遮光部を備える構成である。
【００３７】
それゆえ、対象記録層とは別の層からの迷光の影響を低減することができる。
【発明を実施するための最良の形態】
【００３８】
〔実施の形態１〕
本発明の一実施形態について図１〜図６に基づいて説明すれば、以下のとおりである。
【００３９】
（光ディスク装置２００の構成）
図２は、本発明の一実施形態に係る光ピックアップ装置１００を備える光ディスク装置２００の構成を示す概略図である。同図に示すように、光ディスク装置２００は、光ディスク（光情報記録媒体）１１２に対して情報の記録および再生を行うための光ピックアップ装置１００、光ディスク１１２を回転させるスピンドルモータ（回転手段）４、光ディスク装置２００の各部を制御する制御部２０を備えている。制御部２０の詳細については後述する。
【００４０】
なお、光ディスク装置２００には、光ディスク１１２への情報の記録および光ディスク１１２の情報の再生に必要な、他の機能も備わっているが、本発明の特徴点と直接関係ないため、その説明を省略する。
【００４１】
（光ディスク１１２の構成）
図３は、光ピックアップ装置１００の構成を示す概略図である。本実施形態では、図３に示すように、情報記録層が２層である光ディスク１１２に対して情報の記録および再生を行うための光ディスク装置２００を例に挙げて説明するが、光ディスク１１２は、３層以上の情報記録層を有するものであってもよい。
【００４２】
この光ディスク１１２は、光透過層１１２ａ、第２の情報記録層（Ｌ１層）１１２ｂ第１の情報記録層（Ｌ０層）１１２ｃおよび基板１１２ｅを備えている。第１の情報記録層１１２ｃは、第２の情報記録層１１２ｂよりも基板１１２ｅに近い位置（対物レンズから遠い側）に形成されている。
【００４３】
なお、光透過層の厚みについては、第１の情報記録層１１２ｃと第２の情報記録層１１２ｂの情報記録層間隔は０．０２５ｍｍであるので、第１の情報記録層１１２ｃにとっては光透過層の厚みが０．１００ｍｍとなり、第２の情報記録層１１２ｂにとっては光透過層の厚みが０．０７５ｍｍとなる。
【００４４】
（光ピックアップ装置１００の構成）
図３に示すように、光ピックアップ装置１００は、集積ユニット１０１、コリメートレンズ１０８、対物レンズユニット１１５を備えている。
【００４５】
対物レンズユニット１１５は、１／４波長板１０９、対物レンズ１１０、アクチュエータ１１１、開口絞り１１６を備えている。１／４波長板１０９、対物レンズ１１０および開口絞り１１６は、アクチュエータ１１１のホルダ１２０に固定されており、光ディスク１１２の第１の情報記録層１１２ｃまたは第２の情報記録層１１２ｂの目標トラックに対する、対物レンズ１１０のフォーカシング動作およびトラッキング動作の際に、一体となって駆動される。
【００４６】
対物レンズ１１０は、光源である半導体レーザチップ１０２からの光束を、光ディスク１１２が有する複数の記録層のうちの１つである対象記録層に集光させる。
【００４７】
コリメートレンズ１０８は、光源である半導体レーザチップ１０２を備える集積ユニット１０１と対物レンズ１１０との間に配置されており、対物レンズ１１０と合わせて色収差補正された回折型のコリメートレンズである。
【００４８】
図１は、集積ユニット１０１および光検出器１３０の構成を示す斜視図である。図３および図１に示すように、集積ユニット１０１は、半導体レーザチップ１０２、光検出器１３０、光分岐素子１４０、偏光ホログラム（ホログラム素子）１５２を備えている。
【００４９】
半導体レーザチップ１０２は、光源として機能し、４０５ｎｍ帯の光を出射する。
【００５０】
光検出器１３０は、半導体レーザチップ１０２と偏光ホログラム１５２との間に設けられており、光ディスク１１２の対象記録層に反射し、偏光ホログラム１５２で回折された光を受光部１３１にて受光する。光検出器１３０の詳細については後述する。
【００５１】
光分岐素子１４０は、半導体レーザチップ１０２と光検出器１３０との間に設けられており、偏光方向によって光を透過または反射させ、往路光と復路光とを分岐する光分岐手段の役割を有している。
【００５２】
偏光ホログラム１５２は、偏光方向により光を透過させたり、回折させたりする作用を選択的に行うホログラム素子であり、対物レンズ１１０と光検出器１３０との間（より正確には、コリメートレンズ１０８と光検出器１３０との間）に配置され、ガラス基板１５０に支持されている。この偏光ホログラム１５２を透過する＋１次回折光、０次回折光および−１次回折光の効率は、１：８：１から１：１２：１の範囲にあることが好ましい。
【００５３】
図４は、偏光ホログラム１５２の分割領域を示す概略図である。同図では、偏光ホログラム１５２上に落射しているビームをビームスポット１５５として示している。
【００５４】
偏光ホログラム１５２は、偏光ホログラム１５２の中心を通る分割線１５７と、分割線１５７に平行で、所定の間隔を隔てて分割線１５７の両側にそれぞれ位置する分割線１５８および１５９と、偏光ホログラム１５２の中心を通り、分割線１５７に対して直交する分割線１６０とによって６つの領域（領域１５２ａ、１５２ｂ、１５２ｃ、１５２ｄ、１５２ｅ、１５２ｆ）に分割されている。
【００５５】
これら６つの領域のうち、偏光ホログラム１５２の領域１５２ｃ，１５２ｄを透過した光でプッシュプル信号を生成し、領域１５２ａ，１５２ｂ，１５２ｅ，１５２ｆの４つの領域で回折された光を演算することにより、レンズシフト信号を生成する。また、領域１５２ｃおよび１５２ｄを用いてフォーカス誤差信号を生成する。
【００５６】
これら６つの領域は、それぞれ異なる方向に光ディスク１１２からの反射光を回折させる。それぞれの領域から回折された光は、±１次光とも光検出器１３０上に導かれ、信号生成に利用される。その結果、０次回折光を含め、偏光ホログラム１５２にて計１３個のビームが発生する。
【００５７】
すなわち、偏光ホログラム１５２は、複数種類の信号を生成するための複数の領域に分割されている。
【００５８】
遮光部１５３は、偏光ホログラム１５２へ入射する光の一部をほぼ完全に遮光する部材であり、偏光ホログラム１５２の中心を通る光軸１１３と自身との交点を中心として有する円形の部材である。すなわち、遮光部１５３は、偏光ホログラム１５２の中心部近傍へ入射する反射光を遮断する。
【００５９】
遮光部１５３の外形は円形であっても、矩形であっても、直線と円弧とを組み合わせた形であってもかまわないが、円形の場合の方が、情報の記録または再生の対象となる情報記録層以外の情報記録層からの反射光を効率よく除去もしくは低減できる。
【００６０】
この遮光部１５３の直径Ｄ１は、偏光ホログラム１５２上でのビーム直径をＤ２とすると、Ｄ２／６＜Ｄ１＜Ｄ２／４の関係を満たすように構成されることが好ましい。
【００６１】
この構成により、復路の信号光量低下を最小限とし、光ディスク１１２の光透過層１１２ａの表面反射の影響を受けにくい対物レンズシフト信号を得ることができる。
【００６２】
また、遮光部１５３の透過率はほぼ０に設定されるため、遮光部１５３の直径Ｄ１が上記の範囲を超えると、往路、復路ともに光利用効率が低下してしまい、再生信号特性が低下してしまう。この点でも、遮光部１５３の直径Ｄ１は、上記の範囲内のものであることが好ましい。
【００６３】
（光検出器１３０の構成）
図５は、光検出器１３０が有する受光素子の配置を示す概略図である。同図に示すように、受光部１３１は、再生信号を受信するとともにプッシュプル信号を生成するために、偏光ホログラム１５２を透過する０次回折光を受光するプッシュプル信号用受光素子（第１の受光素子）１３１ａ，１３１ｂ，１３１ｃ，１３１ｄと、対物レンズシフト信号を生成するために、偏光ホログラム１５２で回折された±１次回折光を受光する対物レンズシフト信号用受光素子（第２の受光素子）１３１ｉ，１３１ｊ，１３１ｋ，１３１ｌ，１３１ｍ，１３１ｎ，１３１ｏ，１３１ｐと、フォーカス誤差信号を生成するために、偏光ホログラム１５２で回折された±１次回折光を受光するフォーカス誤差信号用受光素子（第２の受光素子）１３１ｅ，１３１ｆ，１３１ｇ，１３１ｈ，１３３，１３４とを備えている。
【００６４】
受光素子１３１ｏ，１３１ｐは偏光ホログラム１５２の領域１５２ａからの±１次回折光を受光し、受光素子１３１ｍ，１３１ｎは領域１５２ｂからの±１次回折光を受光し、受光素子１３１ｇ，１３１ｈおよび１３３は領域１５２ｃからの±１次回折光を受光し、受光素子１３１ｅ，１３１ｆおよび１３４は領域１５２ｄからの±１次回折光を受光し、受光素子１３１ｋ，１３１ｌは領域１５２ｅからの±１次回折光を受光し、受光素子１３１ｉ，１３１ｊは領域１５２ｆからの±１次回折光を受光する。
【００６５】
なお、対物レンズシフト信号用受光素子１３１ｉと１３１ｊとは内部で結線され、これらの受光素子からの信号が加算された後、後述する対物レンズシフト信号生成部２５へ出力される。同様に、対物レンズシフト信号用受光素子１３１ｋおよび１３１ｌ、対物レンズシフト信号用受光素子１３１ｍおよび１３１ｎ、対物レンズシフト信号用受光素子１３１ｏおよび１３１ｐについても、両者の信号が加算された後、対物レンズシフト信号生成部２５へ出力される。
【００６６】
（制御部２０の構成）
図２に示すように、制御部２０は、回転制御部２１および光ピックアップ制御部２２を備えている。
【００６７】
回転制御部２１は、光ピックアップ制御部２２の制御下で、スピンドルモータ４を駆動させることにより光ディスク１１２を回転させる。
【００６８】
光ピックアップ制御部２２は、光ピックアップ装置１００を制御することにより光ディスク１１２に記録された情報を再生する再生制御手段であり、フォーカス誤差信号生成部２３、メインプッシュプル信号生成部２４、対物レンズシフト信号生成部２５、トラックエラー信号生成部２６および再生信号生成部２７を備えている。
【００６９】
光ピックアップ制御部２２には、フォーカスサーボ、トラッキングサーボ等を行うための他の機能も備わっているが、本発明の特徴点とは直接関係ないため、その説明を省略する。
【００７０】
フォーカス誤差信号生成部２３は、フォーカス誤差信号用受光素子から出力された信号に基づいてフォーカス誤差信号ＦＥＳを生成する。具体的には、フォーカス誤差信号用受光素子１３１ｅ、１３１ｆ、１３１ｇ、１３１ｈでの受光量に基づいた出力信号をそれぞれＳ５、Ｓ６、Ｓ７、Ｓ８とすると、フォーカス誤差信号生成部２３は、（Ｓ５＋Ｓ８）−（Ｓ６＋Ｓ７）という演算によりフォーカス誤差信号を生成する。
【００７１】
メインプッシュプル信号生成部２４は、プッシュプル信号用受光素子から出力された信号に基づいてメインプッシュプル信号を生成する。具体的には、プッシュプル信号用受光素子１３１ａ、１３１ｂ、１３１ｃ、１３１ｄでの受光量に基づいた出力信号をそれぞれＳ１、Ｓ２、Ｓ３、Ｓ４とすると、メインプッシュプル信号生成部２４は、（Ｓ１＋Ｓ２）−（Ｓ３＋Ｓ４）という演算によりメインプッシュプル信号を生成する。
【００７２】
対物レンズシフト信号生成部２５は、対物レンズシフト信号用受光素子から出力された信号に基づいて対物レンズシフト信号を生成する。具体的には、対物レンズシフト信号用受光素子１３１ｉおよび１３１ｊの出力信号の和、１３１ｋおよび１３１ｌの出力信号の和、１３１ｍおよび１３１ｎの出力信号の和、１３１ｏおよび１３１ｐの出力信号の和を、それぞれＳ９、Ｓ１０、Ｓ１１、Ｓ１２とすると、対物レンズシフト信号生成部２５は、（Ｓ９＋Ｓ１１）−（Ｓ１０＋Ｓ１２）という演算により対物レンズシフト信号を生成する。
【００７３】
トラックエラー信号生成部２６は、メインプッシュプル信号生成部２４が生成したメインプッシュプル信号と、対物レンズシフト信号生成部２５が生成した対物レンズシフト信号とに基づいてトラックエラー信号を生成する。具体的には、トラックエラー信号生成部２６は、｛（Ｓ１＋Ｓ２）−（Ｓ３＋Ｓ４）｝−α｛（Ｓ９＋Ｓ１１）−（Ｓ１０＋Ｓ１２）｝という演算によりトラックエラー信号を生成する。ここでαは、所定の係数であり、ユーザによって適宜設定される値である。
【００７４】
再生信号生成部２７は、プッシュプル信号用受光素子から出力された信号に基づいて再生信号を生成する。具体的には、再生信号生成部２７は、（Ｓ１＋Ｓ２＋Ｓ３＋Ｓ４）という演算を行うことにより再生信号を生成する。
【００７５】
（光ディスク装置２００における処理）
次に、光ディスク装置２００における処理の流れの一例について詳細に説明する。なお、以下では、第２の情報記録層１１２ｂに対して記録／再生を行う場合について説明するが、第１の情報記録層１１２ｃに対して記録／再生を行う場合も同様の処理が行われる。
【００７６】
まず、半導体レーザチップ１０２から出射された、図３におけるＸ方向の直線偏光は、光分岐素子１４０、偏光ホログラム１５２およびコリメートレンズ１０８を透過した後、１／４波長板１０９によってその偏光方向が円偏光に変換される。
【００７７】
その後、出射光は、対物レンズ１１０を透過して光ディスク１１２の第２の情報記録層１１２ｂに集光される。
【００７８】
第２の情報記録層１１２ｂに反射した円偏光の反射光（戻り光）は、１／４波長板１０９により、図３におけるＹ方向の直線偏光に変換される。つまり、第２の情報記録層１１２ｂからの反射光は、半導体レーザチップ２から出射されたＸ方向の直線偏光ではなく、Ｙ方向の直線偏光となっている。それゆえ、戻り光は、その偏光方向の違いから偏光ホログラム１５２で回折される。
【００７９】
このとき、第１の情報記録層１１２ｃで反射された迷光１１７は、偏光ホログラム１５２上で略集光される。偏光ホログラム１５２の中心部の上方には、光を完全に遮光する遮光部１５３が形成されているため、遮光部１５３により第１の情報記録層１１２ｃから反射される迷光となる光を偏光ホログラム１５２上でカットできる。
【００８０】
次に、偏光ホログラム１５２によって生じた複数の光束は、光分岐素子１４０で反射され（反射光１６１）、光検出器１３０が備える、対応する受光素子（プッシュプル信号用受光素子１３１ａ，１３１ｂ，１３１ｃ，１３１ｄ、１３１ｎ，１３１ｏ，１３１ｐ、フォーカス誤差信号用受光素子１３１ｅ，１３１ｆ，１３１ｇ，１３１ｈ、対物レンズシフト信号用受光素子１３１ｉ，１３１ｊ，１３１ｋ，１３１ｌ，１３１ｍのいずれか）に入射する。
【００８１】
プッシュプル信号用受光素子１３１ａ，１３１ｂ，１３１ｃ，１３１ｄは、受光量に基づく出力信号をメインプッシュプル信号生成部２４および再生信号生成部２７へ出力する。
【００８２】
メインプッシュプル信号生成部２４は、プッシュプル信号用受光素子からの出力信号を用いて、上述の演算によりメインプッシュプル信号を生成し、生成したメインプッシュプル信号をトラックエラー信号生成部２６へ出力する。
【００８３】
また、再生信号生成部２７は、プッシュプル信号用受光素子からの出力信号を用いて、上述の演算により再生信号を生成する。生成された再生信号は、光ディスク装置２００が備えるホストコンピュータ（不図示）へ出力される。
【００８４】
一方、フォーカス誤差信号用受光素子１３１ｅ，１３１ｆ，１３１ｇ，１３１ｈは、受光量に基づく出力信号をフォーカス誤差信号生成部２３へ出力する。
【００８５】
フォーカス誤差信号生成部２３は、フォーカス誤差信号用受光素子からの出力信号を用いて、上述の演算によりフォーカス誤差信号を生成する。
【００８６】
一方、対物レンズシフト信号用受光素子１３１ｉ，１３１ｊ，１３１ｋ，１３１ｌ，１３１ｍ，１３１ｎ，１３１ｏ，１３１ｐは、受光量に基づく出力信号を対物レンズシフト信号生成部２５へ出力する。
【００８７】
対物レンズシフト信号生成部２５は、対物レンズシフト信号用受光素子からの出力信号を用いて、上述の演算により対物レンズシフト信号を生成し、生成した対物レンズシフト信号をトラックエラー信号生成部２６へ出力する。
【００８８】
トラックエラー信号生成部２６は、メインプッシュプル信号生成部２４から出力されたメインプッシュプル信号および対物レンズシフト信号生成部２５から出力された対物レンズシフト信号を用いて、上述の演算によりトラックエラー信号を生成する。
【００８９】
光ピックアップ制御部２２は、生成されたフォーカス誤差信号に基づいて対物レンズ１１０の焦点を調節するとともに、トラックエラー信号に基づいて対物レンズ１１０の位置を調節する。
【００９０】
なお、偏光ホログラム１５２での−１次回折光：０次回折光：１次回折光の光量比は１：８：１〜１：１２：１とすることで、偏光ホログラムでの±１次回折光によりフォーカスサーボ信号とトラックサーボ信号とを得るとともに、再生信号に対して十分なＳ／Ｎ比を確保することができる。
【００９１】
上記の偏光ホログラム１５２の構成では、０次回折光の光量が±１次回折光の光量に比べ大きく８倍から１２倍となっている。そのため、±１次回折光を受光するための受光素子（対物レンズシフト信号用受光素子およびフォーカス誤差信号用受光素子）には偏光ホログラム１５２での０次回折光が入らないように注意する必要がある。
【００９２】
（光検出器１３０における受光素子の配置）
ここで、対物レンズシフト信号用受光素子およびフォーカス誤差信号用受光素子の配置について説明する。
【００９３】
光ディスク１１２の記録または再生時には、情報の記録または再生の対象となる情報記録層（対象記録層と称する）以外の情報記録層（対象外記録層と称する）からの反射光が光検出器１３０上の受光部に入射する場合がある。
【００９４】
例えば、第１の情報記録層１１２ｃの再生時において、第２の情報記録層１１２ｂからの反射光が、偏光ホログラム１５２を透過（０次回折）して光検出器１３０に入射する場合がある。
【００９５】
偏光ホログラム１５２で０次回折された、対象外記録層からの反射光が、±１次回折光を受光する対物レンズシフト信号用受光素子およびフォーカス誤差信号用受光素子に入射すると、信号光に対する迷光の比率が高くなり、Ｓ／Ｎ比が低下する。
【００９６】
そこで、このような対象外記録層からの反射光が、対物レンズシフト信号用受光素子およびフォーカス誤差信号用受光素子に入射する可能性が低い位置に、これらの受光素子を配置することが好ましい。
【００９７】
具体的には、対物レンズ１１０の焦点距離をｆ１、コリメートレンズ１０８の焦点距離をｆ２、光ディスク１１２の記録層間隔をＳ、光透過層１１２ａの屈折率をｎとした場合に、光検出器１３０へ入射する０次回折光の光軸と受光部１３１の基板との交点を中心として、半径Ｒ２＝（２×ｓ／ｎ）（ｆ２／ｆ１）の円領域の外側に、対物レンズシフト信号用受光素子およびフォーカス誤差信号用受光素子を配置することが好ましい。
【００９８】
この構成によって、対象外記録層からの反射光が光検出器１３０の受光素子に入射する可能性を低減でき、対象外記録層からの反射光によりフォーカス誤差信号および／またはトラック誤差信号の信号品質が低下する可能性を低減できる。
【００９９】
（光透過層表面１１２ｄでの反射光の影響）
次に、光透過層表面１１２ｄでの反射光の影響についての説明を行う。
【０１００】
光透過層の厚みが０．１〜０．０７５ｍｍ程度である場合には、光透過層表面１１２ｄでの反射光の影響が無視できなくなる。そこで、対物レンズシフト信号用受光素子およびフォーカス誤差信号用受光素子に光透過層表面１１２ｄでの反射光が入射する可能性の低い位置に、これらの受光素子を配置することが好ましい。
【０１０１】
具体的には、対物レンズ１１０の焦点距離をｆ１、コリメートレンズ１０８の焦点距離をｆ２、光透過層１１２ａの厚みの最大値をｔ、光透過層１１２ａの屈折率をｎとした場合に、光検出器１３０へ入射する０次回折光の光軸と光検出器１３０の基板との交点を中心として、半径Ｒ３＝（２×ｔ／ｎ）（ｆ２／ｆ１）の円領域の外側に対物レンズシフト信号用受光素子およびフォーカス誤差信号用受光素子を配置することが好ましい。
【０１０２】
なお、光透過層１１２ａの屈折率は、例えば、１．５９であり、光透過層の厚みの最大値とは、光透過層表面１１２ｄと光入射面からみて最も離れた情報記録層との距離を指し、ここでは光透過層表面１１２ｄと第１の情報記録層１１２ｃとの層間隔０．１ｍｍとなる。
【０１０３】
ここで、光透過層厚みの最大値ｔを用いた理由は、光透過層表面１１２ｄからの反射光の、光検出器１３０上での大きさを考えた場合、光透過層１１２ａの厚みがより大きい場合（ここでは第１の情報記録層１１２ｃの情報を再生する場合）の方が、光検出器１３０上における光透過層表面１１２ｄからの反射光の照射範囲が大きくなるためである。
【０１０４】
なお、第２の情報記録層１１２ｂと第１の情報記録層１１２ｃとの間の層も光透過層としての役割を有している。
【０１０５】
（配置の変更例）
先の説明では、対物レンズシフト信号用受光素子およびフォーカス誤差信号用受光素子に光透過層表面１１２ｄからの反射光が入らない配置について説明を行ったが、少なくとも対物レンズシフト信号用受光素子を、半径Ｒ３＝（２×ｔ／ｎ）（ｆ２／ｆ１）の円領域の外側に配置することが好ましい。
【０１０６】
その理由は、フォーカス誤差信号用受光素子の場合には、仮に光透過層表面１１２ｄでの反射光が入射したとしても、光透過層表面１１２ｄでの反射光量による変化分をΔとすると、フォーカス誤差信号ＦＥＳは、（Ｓ５＋ΔＡ＋Ｓ８＋ΔＢ）−（Ｓ６＋ΔＣ＋Ｓ７＋ΔＤ）となり、ΔＡ≒ΔＣ、ΔＢ≒ΔＤである為、その影響はキャンセルされる。
【０１０７】
一方、対物レンズシフト信号用受光素子の場合には、対物レンズシフト信号は、（Ｓ９＋ΔＥ＋Ｓ１１＋ΔＦ）−（Ｓ１０＋ΔＧ＋Ｓ１２＋ΔＨ）となり、ΔＥ、ΔＦに対して、ΔＧ、ΔＨの増減が逆になる（ΔＥ、ΔＦの値が正の場合、ΔＧ、ΔＨの値は負となり、ΔＥ、ΔＦの値が負の場合、ΔＧ、ΔＨの値は正となる）ことからキャンセルされない。
【０１０８】
その為、対物レンズシフト時に光透過層表面１１２ｄでの反射光の位置が対物レンズシフト信号用受光素子上で移動した場合には、フォーカス誤差信号ＦＥＳに比べて対物レンズシフト信号にオフセットが発生しやすくなる。それゆえ、対物レンズシフト信号用受光素子を半径Ｒ３＝（２×ｔ／ｎ）（ｆ２／ｆ１）の円領域の外側に配置することが好ましい。
【０１０９】
なお、フォーカス誤差信号用受光素子は、対物レンズシフト信号用受光素子に比べて反射光の影響を受けにくいが、光透過層１１２ａの厚みが１００μｍを中心として数μｍばらついた場合には、受光素子上での光透過層表面からの反射光の照射範囲および強度が変化することから、フォーカス誤差信号に対しての外乱となる。この点では、光透過層表面１１２ｄでの反射光がフォーカス誤差信号用受光素子によって受光されないようにすることが好ましい。
【０１１０】
（光ピックアップ装置１００のレンズシフト特性）
図６（ａ）は、遮光部１５３を有する光ピックアップ装置１００の対物レンズシフト特性を示した図である。図６（ｂ）の遮光部を有しない光ピックアップ装置の対物レンズシフト特性と比較して見ると、対物レンズシフトに対するトラッキング信号のオフセット発生量が低減されていることが分かる。
【０１１１】
（変更例）
偏光ホログラム１５２の中心部の上方に遮光部１５３を配置する代わりに、偏光ホログラム１５２の自体の中心部１５６（図４参照）を他の領域よりその透過率が低いように設定してもよい。すなわち、光ディスク１１２の他層からの迷光成分を、透過率を下げることによりカットする遮光部が偏光ホログラム１５２の中央部に形成されていてもよい。この場合にも同様の効果が得られる。
【０１１２】
このとき、上述のように、この偏光ホログラム１５２の中心部１５６の直径Ｄ１Ａは、偏光ホログラム１５２上でのビーム直径をＤ２とすると、Ｄ２／６＜Ｄ１Ａ＜Ｄ２／４の関係を満たすように構成されることが好ましい。
【０１１３】
また、この偏光ホログラム１５２の中心部１５６の反射率をＲＡ、透過率をＴＡとすると、両者をそれぞれ０．１５＜ＲＡ＜０．３，０＜ＴＡ＜０．２を満たすように規定することが好ましい。
【０１１４】
２層ディスクの再生時に、再生層とは別の記録層からの反射光がちょうど偏光ホログラム上で集光するため、中心部の透過率を下げることによって、他層迷光の影響を低減することができる。また、偏光ホログラム１５２での反射光が不要な迷光となる可能性があるため、中心部１５６の反射率の許容範囲を上述の範囲に制限している。上記の各数値は、実験によって求めたものである。
【０１１５】
これにより、対物レンズ１１０がシフトしても、プッシュプル信号用受光素子での受光量変化を少なくすることができ、オフセットが少ないプッシュプル信号を得ることができる。
【０１１６】
〔実施の形態２〕
本発明の他の実施形態について図７〜図９に基づいて説明すれば、以下のとおりである。なお、実施の形態１と同様の部材に関しては、同じ符号を付し、その説明を省略する。
【０１１７】
（光ピックアップ装置３００の構成）
図７は、本発明の実施形態２の光ピックアップ装置３００の構成を示す概略図である。光ピックアップ装置１００と異なり、光ピックアップ装置３００は、集積ユニット２０１を備えている。
【０１１８】
集積ユニット２０１において、偏光ホログラム２５２の表面に、光透過層表面１１２ｄからの反射光の外周部分を遮光する開口制限素子２７０が設けられている。集積ユニット２０１の、その他の構成は、集積ユニット１０１と同様である。
【０１１９】
（開口制限素子２７０の意義）
上述のように、光透過層１１２ａの厚みが０．１〜０．０７５ｍｍ程度である場合には、光透過層表面１１２ｄでの反射光の影響が無視できなくなる。そこで、実施形態１では、図５に示すように、対物レンズ１１０の焦点距離をｆ１、コリメートレンズ１０８の焦点距離をｆ２、光透過層１１２ａの厚みの最大値をｔ、屈折率をｎとした場合に、光検出器１３０上の、０次回折光の光軸を中心として半径Ｒ３＝（２×ｔ／ｎ）（ｆ２／ｆ１）の円領域の外側に、対物レンズシフト信号用受光素子およびフォーカス誤差信号用受光素子を配置することが好ましいことを説明した。
【０１２０】
一方、光検出器１３０のパッケージサイズの制約から、対物レンズシフト信号用受光素子およびフォーカス誤差信号用受光素子を半径Ｒ３＝（２×ｔ／ｎ）（ｆ２／ｆ１）の円領域の外側に配置できない場合も発生する。その場合には、光透過層表面１１２ｄでの反射光の光検出器上での大きさを相対的に小さくすることで、光透過層表面１１２ｄでの反射光がフォーカス誤差信号やトラック誤差信号に影響を及ぼさないようにすることができる。
【０１２１】
その手段として、図７に示すように、偏光ホログラム２５２の表面に、光透過層表面１１２ｄからの反射光の外周部分を遮光する開口制限素子２７０を追加する。
【０１２２】
ここで、光透過層表面１１２ｄからの反射光の外周部分を遮光する理由について説明する。光透過層表面１１２ｄでの反射光は、第１の情報記録層１１２ｃおよび第２の情報記録層１１２ｂよりも手前の層からの反射光であることから、対物レンズ１１０から光検出器１３０に戻る復路の光学系にて一点に絞られることはない。その為、迷光成分のみをカットする遮光膜（実施形態１の遮光部１５３など）を用いることができない。また、光透過層表面１１２ｄでの反射光は信号光と光軸を共にすることから、光透過層表面１１２ｄからの反射光の外周部分を遮光する方法が好ましい。
【０１２３】
（開口制限素子２７０の構成および配置）
図８は、開口制限素子２７０の構成を示す概略図である。同図に示すように、開口制限素子２７０は、開口部２７１、遮光部２７２を有している。
【０１２４】
遮光部２７２の材料としては、光透過層表面１１２ｄでの反射光を遮光するものであれば良いが、反射膜の場合には、反射膜部分で反射された光が迷光の原因になることから、光源の波長４０５ｎｍ帯を吸収する材料であることが好ましい。
【０１２５】
開口制限素子２７０は、図７に示すように、偏光ホログラム２５２とコリメートレンズ１０８との間、または、偏光ホログラム２５２と光分岐素子１４０との間に配置されることが好ましい。
【０１２６】
第１の情報記録層１１２ｃまたは第２の情報記録層１１２ｂからの信号光と、光透過層表面１１２ｄからの反射光とは、光検出器１３０側に近づくほど、その光束径に差が生じることから、光透過層表面１１２ｄからの反射光の外周部分を遮光する場合には、できるだけ光検出器１３０の近くに開口制限素子２７０を置くことが考えられる。
【０１２７】
しかし、開口制限素子２７０を、光検出器１３０の直前（例えば、光検出器１３０と光分岐素子１４０との間）に配置すると、偏光ホログラム２５２で発生した±１次回折光が開口制限素子２７０の遮光部２７２により遮光される。
【０１２８】
逆に、開口制限素子２７０が、コリメートレンズ１０８の直後に配置された場合には、第１の情報記録層１１２ｃまたは第２の情報記録層１１２ｂからの信号光と光透過層表面１１２ｄからの反射光とを十分に分離できない。
【０１２９】
以上のことから、図６に示す開口制限素子２７０の位置ｈは、コリメートレンズ１０８の焦点距離をｆ２とすると、半導体レーザチップ１０２から０．２５×ｆ２以上かつ０．５×ｆ２以下であることが好ましい。
【０１３０】
（変更例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３１】
例えば、偏光ホログラム２５２と開口制限素子２７０とを一体化することもできる、この場合には、図８に示すように、少なくとも一方向に非対称な形状を有するような開口制限とすることもできる。そうすることで、光ピックアップ装置３００に対する偏光ホログラム２５２の上下方向、左右方向、表裏の判別を容易に行うことが可能となる為、作業性が向上する。
【０１３２】
非対称な形状については、図８に示す形状以外の形状でもよい。開口部２７１についても円形として説明を行ったが、開口部２７１の形状は、円形に限らず、光透過層表面１１２ｄでの反射光を遮光できるものであれば楕円形または多角形でもよい。
【０１３３】
また、単体の半導体レーザと、パッケージ化された光検出器を用いた場合にも、上述の実施形態と同様の効果が得られる。
【０１３４】
また、上述の説明では、光ディスクとして２層光ディスクを用いた場合について説明を行ったが、３層以上の多層光ディスクを用いた場合にも同様の効果が得られる。
【０１３５】
なお、本発明は、以下のようにも表現できる。
【０１３６】
すなわち、本発明の光ピックアップ装置は、光源と，前記光源からの光束を光情報記録媒体の情報記録面上に集光させるための対物レンズと，前記光源と前記対物レンズ間に配置され，前記対物レンズと合わせて色収差補正された回折型コリメートレンズと、前記光源と前記コリメートレンズ間に配置された光分岐素子ならびに，±１次回折光に対する０次回折光の効率が高いホログラム素子と，前記情報記録面で反射された後，前記ホログラム素子を透過する０次回折光を受光する第１の受光素子と，前記ホログラム素子で回折された±１次回折光を受光する第２，第３の受光素子からなる光検出器を有し、
前記ホログラム素子での０次回折光が第１の受光素子で受光された受光量に応じて前記情報記録面からの再生信号とプッシュプル信号とを得るとともに、
前記ホログラム素子での±１次回折光が第２の受光素子で受光された受光量に応じて対物レンズシフト信号を検出し，第３の受光素子で受光された受光量に応じてフォーカス誤差信号を得ることを特徴としている。
【０１３７】
上記光ピックアップ装置において、前記ホログラム素子の＋１次回折光：０次回折光：−１次回折光の効率が，１：８：１から１：１２：１の範囲にあることが好ましい。
【０１３８】
上記光ピックアップ装置において、前記ホログラム素子は，前記光情報記録媒体のトラック接線方向と直交する第１，第２，第３の分割線により第１，第２，第３，第４の領域に分割されるとともに，トラック接線方向と略平行な第４の分割線により前記第１，第４の領域が更に２分割された６分割領域からなることを特徴とし，プッシュプル信号を含む２領域と，プッシュプル信号を含まない４領域からなり，前記ホログラム素子の±１次回折光により対物レンズシフト信号を得るとともに、前記プッシュプル信号と前記対物レンズシフト信号からトラック誤差信号を得ることが好ましい。
【０１３９】
上記光ピックアップ装置において、前記ホログラム素子は，中心部に遮光部を有することが好ましい。
【０１４０】
上記光ピックアップ装置において、前記ホログラム素子の遮光部の直径Ｄ１は、前記ホログラム素子上のビーム直径をＤ２とすると、Ｄ２／６＜Ｄ１＜Ｄ２／４を満たすように構成されていることが好ましい。
【０１４１】
上記光ピックアップ装置において、前記ホログラム素子は，中心部の透過率が他の領域よりも低く設定されていることが好ましい。
【０１４２】
上記光ピックアップ装置において、前記ホログラム素子の遮光部の直径Ｄ１は、前記ホログラム素子上のビーム直径をＤ２とするとＤ２／６＜Ｄ１＜Ｄ２／４を満たすように構成されていることが好ましい。
【０１４３】
上記光ピックアップ装置において、前記ホログラム素子の中心部分Ａの反射率ＲＡ，及び透過率ＴＡは、
０．１５＜ＲＡ＜０．３、
０＜ＴＡ＜０．２
で規定されることが好ましい。
【０１４４】
本発明のドライブ装置は、上記光ピックアップ装置に加えて，前記光情報記録媒体の回転手段と再生制御手段を少なくとも具備している。
【産業上の利用可能性】
【０１４５】
本発明によれば、複数の情報記録層を有する情報記録媒体に対して光学的に情報の記録または再生を行う場合に、対象となる情報記録層以外の部分からの反射光の影響を受けにくい光ピックアップ装置を実現できる。
【図面の簡単な説明】
【０１４６】
【図１】本発明の一実施形態に係る光ピックアップ装置が備える集積ユニットおよび光検出器の構成を示す斜視図である。
【図２】上記光ピックアップ装置を備える光ディスク装置の構成を示す概略図である。
【図３】上記光ピックアップ装置の構成を示す概略図である。
【図４】上記光ピックアップ装置が備えるホログラム素子の分割領域を示す概略図である。
【図５】上記光ピックアップ装置が備える光検出器が有する受光素子の配置を示す概略図である。
【図６】対物レンズシフトに対するトラッキング信号のオフセット発生量を示すグラフであり、（ａ）は、遮光部を有する光ピックアップ装置に関するものであり、（ｂ）は、遮光部を有しない従来の光ピックアップ装置に関するものである。
【図７】本発明の別の実施形態に係る光ピックアップ装置の構成を示す概略図である。
【図８】上記光ピックアップ装置が備える開口制限素子の構成を示す概略図である。
【図９】従来の光ピックアップ装置の構成を示す概略図である。
【図１０】従来の光ピックアップ装置が備えるホログラム素子および光検出器を示す概略図である。
【符号の説明】
【０１４７】
２２      光ピックアップ制御部（再生制御手段）
１００    光ピックアップ装置
１０１    集積ユニット
１０２    半導体レーザチップ（光源）
１０８    コリメートレンズ
１１０    対物レンズ
１１２    光ディスク（光情報記録媒体）
１１２ａ  光透過層
１１２ｂ  第２の情報記録層
１１２ｃ  第１の情報記録層
１３０    光検出器
１３１ａ，１３１ｂ，１３１ｃ，１３１ｄ  プッシュプル信号用受光素子
１３１ｅ，１３１ｆ，１３１ｇ，１３１ｈ  フォーカス誤差信号用受光素子
１３１ｉ，１３１ｊ，１３１ｋ，１３１ｌ  対物レンズシフト信号用受光素子
１３１ｍ，１３１ｎ，１３１ｏ，１３１ｐ  対物レンズシフト信号用受光素子
１５２    偏光ホログラム（ホログラム素子）
１５３    遮光部
１５６    中心部（遮光部）
２００    光ディスク装置
２００    光ピックアップ装置
２０１    集積ユニット
２５２    偏光ホログラム（ホログラム素子）
２７０    開口制限素子
２７１    開口部
２７２    遮光部
【図１】
2010009701.tif 000003
【図２】
2010009701.tif 000004
【図３】
2010009701.tif 000005
【図４】
2010009701.tif 000006
【図５】
2010009701.tif 000007
【図６】
2010009701.tif 000008
【図７】
2010009701.tif 000009
【図８】
2010009701.tif 000010
【図９】
2010009701.tif 000011
【図１０】
2010009701.tif 000012